(57)【特許請求の範囲】
【請求項１】
第１無線アクセスネットワーク（ＲＡＮ）（202）内で第１無線アクセス技術（ＲＡＴ）に従って動作するネットワークノード（10）における方法（1500）であって、前記方法（1500）は、
第２ＲＡＴに従って動作する第２ＲＡＮ（204）内のセルから、ユーザ装置についてのハンドオーバ要求を受信すること（1510）と、
前記第１ＲＡＮ（202）内のセルへの前記ユーザ装置のハンドオーバの完了後に、前記第２ＲＡＮ（204）に対応する１つ以上の周波数を測定するよう、前記ユーザ装置を設定すること（1540）と、
前記１つ以上の周波数について前記ユーザ装置によって報告された測定値に基づいて、測定閾値を超える１つ以上の検出されたセルを識別すること（1550）と、
ハンドオーバ報告を前記第２ＲＡＮ（204）に向けて送信すること（1560）と、ここで、前記ハンドオーバ報告は、前記測定閾値を超える少なくとも１つの検出されたセルについて、当該検出されたセルの物理セル識別子と、当該検出されたセルの周波数識別子とを含み、
前記ハンドオーバ報告を送信（1560）した後に、前記少なくとも１つの検出されたセルについての設定情報を、別のノードから取得すること（1570）と、
前記取得された設定情報を、その後のモビリティ手順に使用すること（1580）と、
を含む、方法。
【請求項２】
請求項１に記載の方法（1500）であって、
設定情報を取得することは、前記少なくとも１つの検出されたセルについて、
グローバルセル識別子、
トラッキングエリア識別子（ＴＡＩ）、
ロングタームエボリューション（ＬＴＥ）のｅＮｏｄｅＢ ＩＤ、及び
１つ以上のサポートされている公衆陸上移動体ネットワーク（ＰＬＭＮ）識別子、
のうちの１つ以上を取得することを含む、方法。
【請求項３】
請求項１又は２に記載の方法（1500）であって、
設定情報を取得することは、運用管理（ＯＡＭ）ノードと通信し、前記ＯＡＭノードから前記設定情報を受信することを含む、方法。
【請求項４】
請求項１又は２に記載の方法（1500）であって、
設定情報を取得することは、ＲＡＮノードと通信し、前記ＲＡＮノードから前記設定情報を受信することを含む、方法。
【請求項５】
請求項４に記載の方法（1500）であって、
前記ＲＡＮノードは、無線ネットワーク制御装置（ＲＮＣ）である、方法。
【請求項６】
請求項１又は２に記載の方法（1500）であって、
設定情報を取得することは、前記少なくとも１つの検出されたセルについての追加のパラメータの測定及び報告を前記ユーザ装置に要求することを含む、方法。
【請求項７】
請求項６に記載の方法（1500）であって、
追加のパラメータの測定及び報告を前記ユーザ装置に要求することは、前記少なくとも１つの検出されたセルについてのシステム情報ブロック（ＳＩＢ）を読み取り、かつ、前記少なくとも１つの検出されたセルについての、グローバルセル識別子、ＴＡＩ、及び公衆陸上移動体ネットワーク（ＰＬＭＮ）ＩＤのリストのうちの１つ以上を報告するよう、前記ユーザ装置に要求することを含む、方法。
【請求項８】
請求項６又は７に記載の方法（1500）であって、
追加のパラメータの測定及び報告を前記ユーザ装置に要求することは、前記測定及び報告を、その後に前記ユーザ装置に対するトラヒック負荷が減少した際に実行するよう、前記ユーザ装置を設定することを含む、方法。
【請求項９】
請求項１から８のいずれか１項に記載の方法（1500）であって、
設定情報の前記取得は、前記ユーザ装置によって検出された前記セルが、クローズド加入者グループ（ＣＳＧ）セルであるかどうかに基づいてトリガされる、方法。
【請求項１０】
請求項１から９のいずれか１項に記載の方法（1500）であって、
取得された設定情報をその後のモビリティ手順に使用することは、前記少なくとも１つの検出されたセルへのハンドオーバをトリガすることを含む、方法。
【請求項１１】
第１無線アクセスネットワーク（ＲＡＮ）（202）内で第１無線アクセス技術（ＲＡＴ）に従って動作するよう構成されたネットワークノード装置（10）であって、前記ネットワークノード装置（10）は、処理回路（40, 46）を備え、当該処理回路は、
第２ＲＡＴに従って動作する第２ＲＡＮ（204）内のセルから、ユーザ装置についてのハンドオーバ要求を受信し、
前記第１ＲＡＮ（202）内のセルへの前記ユーザ装置のハンドオーバの完了後に、前記第２ＲＡＮ（204）に対応する１つ以上の周波数を測定するよう、前記ユーザ装置を設定し、
前記１つ以上の周波数について前記ユーザ装置によって報告された測定値に基づいて、測定閾値を超える１つ以上の検出されたセルを識別し、
ハンドオーバ報告を前記第２ＲＡＮ（204）に向けて送信し、ここで、前記ハンドオーバ報告は、前記測定閾値を超える少なくとも１つの検出されたセルについて、当該検出されたセルの物理セル識別子と、当該検出されたセルの周波数識別子とを含み、
前記ハンドオーバ報告を送信した後に、前記少なくとも１つの検出されたセルについての設定情報を、別のノードから取得し、
前記取得された設定情報を、その後のモビリティ手順に使用する、
よう構成される、ネットワークノード装置。
【請求項１２】
請求項１１に記載のネットワークノード装置（10）であって、
前記処理回路（40, 46）は、前記少なくとも１つの検出されたセルについて、
グローバルセル識別子、
トラッキングエリア識別子（ＴＡＩ）、
ロングタームエボリューション（ＬＴＥ）のｅＮｏｄｅＢ ＩＤ、及び
１つ以上のサポートされている公衆陸上移動体ネットワーク（ＰＬＭＮ）識別子、
のうちの１つ以上を取得することによって、設定情報を取得するよう構成される、ネットワークノード装置。
【請求項１３】
請求項１１又は１２に記載のネットワークノード装置（10）であって、
前記処理回路（40, 46）は、運用管理（ＯＡＭ）ノードと通信し、前記ＯＡＭノードから前記設定情報を受信することによって、設定情報を取得するよう構成される、ネットワークノード装置。
【請求項１４】
請求項１１又は１２に記載のネットワークノード装置（10）であって、
前記処理回路（40, 46）は、ＲＡＮノードと通信し、前記ＲＡＮノードから前記設定情報を受信することによって、設定情報を取得するよう構成される、ネットワークノード装置。
【請求項１５】
請求項１４に記載のネットワークノード装置（10）であって、
前記ＲＡＮノードは、無線ネットワーク制御装置（ＲＮＣ）である、ネットワークノード装置。
【請求項１６】
請求項１１又は１２に記載のネットワークノード装置（10）であって、
前記処理回路（40, 46）は、前記少なくとも１つの検出されたセルについての追加のパラメータの測定及び報告を前記ユーザ装置に要求することによって、設定情報を取得するよう構成される、ネットワークノード装置。
【請求項１７】
請求項１６に記載のネットワークノード装置（10）であって、
前記処理回路（40, 46）は、前記少なくとも１つの検出されたセルについてのシステム情報ブロック（ＳＩＢ）を読み取り、かつ、前記少なくとも１つの検出されたセルについての、グローバルセル識別子、ＴＡＩ、及び公衆陸上移動体ネットワーク（ＰＬＭＮ）ＩＤのリストのうちの１つ以上を報告するよう、前記ユーザ装置に要求することによって、追加のパラメータの測定及び報告を前記ユーザ装置に要求するよう構成される、ネットワークノード装置。
【請求項１８】
請求項１６又は１７に記載のネットワークノード装置（10）であって、
前記処理回路（40, 46）は、前記測定及び報告を、その後に前記ユーザ装置に対するトラヒック負荷が減少した際に実行するよう、前記ユーザ装置を設定することによって、追加のパラメータの測定及び報告を前記ユーザ装置に要求するよう構成される、ネットワークノード装置。
【請求項１９】
請求項１１から１８のいずれか１項に記載のネットワークノード装置（10）であって、
前記処理回路（40, 46）は、前記ユーザ装置によって検出された前記セルが、クローズド加入者グループ（ＣＳＧ）セルであるかどうかに基づいて、設定情報の取得をトリガするよう構成される、ネットワークノード装置。
【請求項２０】
請求項１１から１９のいずれか１項に記載のネットワークノード装置（10）であって、
前記処理回路（40, 46）は、取得された設定情報を、前記少なくとも１つの検出されたセルへのハンドオーバをトリガするための、その後のモビリティ手順に使用するよう構成される、ネットワークノード装置。
【請求項２１】
第１無線アクセスネットワーク（ＲＡＮ）（202）内で第１無線アクセス技術（ＲＡＴ）に従って動作するよう構成されたネットワークノード装置（10）であって、前記ネットワークノード装置（10）は、更に、
第２ＲＡＴに従って動作する第２ＲＡＮ（204）内のセルから、ユーザ装置についてのハンドオーバ要求を受信し、
前記第１ＲＡＮ（202）内のセルへの前記ユーザ装置のハンドオーバの完了後に、前記第２ＲＡＮ（204）に対応する１つ以上の周波数を測定するよう、前記ユーザ装置を設定し、
前記１つ以上の周波数について前記ユーザ装置によって報告された測定値に基づいて、測定閾値を超える１つ以上の検出されたセルを識別し、
ハンドオーバ報告を前記第２ＲＡＮ（204）に向けて送信し、ここで、前記ハンドオーバ報告は、前記測定閾値を超える少なくとも１つの検出されたセルについて、当該検出されたセルの物理セル識別子と、当該検出されたセルの周波数識別子とを含み、
前記ハンドオーバ報告を送信した後に、前記少なくとも１つの検出されたセルについての設定情報を、別のノードから取得し、
前記取得された設定情報を、その後のモビリティ手順に使用する、
よう構成される、ネットワークノード装置。
【請求項２２】
第１無線アクセスネットワーク（ＲＡＮ）（202）内で第１無線アクセス技術（ＲＡＴ）に従って動作するよう構成されたネットワークノード装置（10）であって、前記ネットワークノード装置（10）は、
第２ＲＡＴに従って動作する第２ＲＡＮ（204）内のセルから、ユーザ装置についてのハンドオーバ要求を受信する受信モジュール（1702）と、
前記第１ＲＡＮ（202）内のセルへの前記ユーザ装置のハンドオーバの完了後に、前記第２ＲＡＮ（204）に対応する１つ以上の周波数を測定するよう、前記ユーザ装置を設定する設定モジュール（1704）と、
前記１つ以上の周波数について前記ユーザ装置によって報告された測定値に基づいて、測定閾値を超える１つ以上の検出されたセルを識別する識別モジュールと（1706）と、
ハンドオーバ報告を前記第２ＲＡＮ（204）に向けて送信する送信モジュール（1708）と、ここで、前記ハンドオーバ報告は、前記測定閾値を超える少なくとも１つの検出されたセルについて、当該検出されたセルの物理セル識別子と、当該検出されたセルの周波数識別子とを含み、
前記ハンドオーバ報告を送信した後に、前記少なくとも１つの検出されたセルについての設定情報を、別のノードから取得する設定取得モジュール（1710）と、
前記取得された設定情報を、その後のモビリティ手順に使用するモビリティモジュール（1712）と、
を備える、ネットワークノード装置。
【請求項２３】
ネットワークノード（10）内のプロセッサ（40）用のプログラム命令を含むコンピュータプログラムでって、前記プログラム命令は、前記プロセッサ（40）によって実行された場合、前記ネットワークノード（10）に、
第２ＲＡＴに従って動作する第２ＲＡＮ（204）内のセルから、ユーザ装置についてのハンドオーバ要求を受信することと、
前記第１ＲＡＮ（202）内のセルへの前記ユーザ装置のハンドオーバの完了後に、前記第２ＲＡＮ（204）に対応する１つ以上の周波数を測定するよう、前記ユーザ装置を設定することと、
前記１つ以上の周波数について前記ユーザ装置によって報告された測定値に基づいて、測定閾値を超える１つ以上の検出されたセルを識別することと、
ハンドオーバ報告を前記第２ＲＡＮ（204）に向けて送信することと、ここで、前記ハンドオーバ報告は、前記測定閾値を超える少なくとも１つの検出されたセルについて、当該検出されたセルの物理セル識別子と、当該検出されたセルの周波数識別子とを含み、
前記ハンドオーバ報告を送信した後に、前記少なくとも１つの検出されたセルについての設定情報を、別のノードから取得することと、
前記取得された設定情報を、その後のモビリティ手順に使用することと、
を行わせるように構成されている、コンピュータプログラム。
【請求項２４】
請求項２３に記載のコンピュータプログラムが格納されたコンピュータ読み取り可能媒体（46）。
【発明の詳細な説明】
【技術分野】
【０００１】
本明細書で開示する技術は、全体として、無線通信ネットワークに関するものであり、より具体的には、１つのアクセス技術から他のアクセス技術への不必要なハンドオーバを減らす技術に関するものである。
【背景技術】
【０００２】
正式には次世代ユニバーサル地上無線アクセス（Ｅ−ＵＴＲＡ：Evolved Universal Terrestrial Radio Access）として知られているロングタームエボリューション（ＬＴＥ：Long Term Evolution）技術のような第４世代（４Ｇ）無線技術をサポートしている携帯電話及びその他のユーザ装置は、典型的には、広帯域符号分割多元接続（ＷＣＤＭＡ（登録商標））としばしば称されるユニバーサル地上無線アクセス（ＵＴＲＡ）のような３Ｇ技術もサポートしている。これらの同じデバイスは、グローバル・システム・フォー・モバイル・コミュニケーションズ（ＧＳＭ（登録商標））／ＥＤＧＥ無線アクセスネットワーク（ＧＥＲＡＮ）のような２Ｇネットワークとも互換性を有しうる。
【０００３】
これらのネットワークは、互いに接続されてもよく、場合によっては、１つのネットワークから他のネットワークへのハンドオーバをユーザ装置（ＵＥ）に許可することがある。図１に示すように、ＬＴＥ及びＧＥＲＡＮ／ＵＴＲＡＮ構成は、それぞれの技術のコアネットワークノード間のインタフェースによって結合される。www.3gpp.orgにおいて入手可能な"General Packet Radio Service (GPRS) enhancements for Evolved Universal Terrestrial Radio Access Network (E-UTRAN) access," 3GPP TS 23.401, ver. 13.0.0 (Sept. 2014) を参照されたい。これらのコアノードは、例えば、モビリティ管理エンティティ（ＭＭＥ）、サービングＧＰＲＳサポートノード（ＳＧＳＮ）、サービングゲートウェイ（ＳＧＷ）、及びホーム加入者サーバ（ＨＳＳ）を含み、それら全ての機能は、第３世代パートナーシッププロジェクト（３ＧＰＰ）のメンバーによって開発されたネットワーク標準規格のファミリーに広く精通している者には周知である。
【０００４】
ＬＴＥ及びＧＥＲＡＮ／ＵＴＲＡＮ技術が互いに通信する方法の１つは、ＲＡＮ情報管理（ＲＩＭ：RAN Information Management）プロトコルによるものであり、当該プロトコルは、ＬＴＥからＧＥＲＡＮ／ＵＴＲＡＮへの、及びその逆の情報の転送を、事前設定された方法で可能にする。ＲＩＭプロトコルは、www.3gpp.orgにおいて同様に入手可能な、"3rd Generation Partnership Project; Technical Specification Group GSM/EDGE Radio Access Network; General Packet Radio Service (GPRS); Base Station System (BSS) - Serving GPRS Support Node (SGSN); BSS GPRS Protocol (BSSGP) (Release 12)," 3GPP TS 48.018, v. 12.3.0 (2014年9月) において規定されている。
【０００５】
現在の規格では、特定のタイプのＲＩＭインタラクションが、ＬＴＥネットワークからＧＥＲＡＮ／ＵＴＲＡＮネットワークへの不必要なハンドオーバを避ける目的で定義されている。このインタラクションは、「不要ＩＲＡＴハンドオーバ検出（Unnecessary IRAT Handover detection）」として知られている。
【０００６】
図２は、ターゲットＲＡＴがＧＥＲＡＮである場合の、現在の標準規格による、不要無線アクセス技術間（ＩＲＡＴ）ハンドオーバ検出の手順についてのメッセージシーケンスチャートを示している。ターゲットＲＡＴがＵＴＲＡＮである場合にも、同じメッセージシーケンスが有効である。
【０００７】
図２に示される動作は、（上記で引用されている）3GPP TS 48.018、3GPP TS 36.413（リリース12）、3GPP TS 25.413（リリース12）、及び3GPP TS 48.008（リリース12）に詳しく記載されており、それら全てはwww.3gpp.orgにおいて手に入れることが可能である。図示されている手順は、ＬＴＥ無線アクセスネットワーク（ＲＡＮ）が、ＬＴＥからＧＥＲＡＮ／ＵＴＲＡＮへハンドオーバされるＵＥに対して、特定の測定基準及び閾値を設定することを可能にする。より一般的には、第１ＲＡＴに従って動作している第１ＲＡＮ２０４から、第２ＲＡＴに従って動作している第２ＲＡＮ２０２へ、ＵＥがハンドオーバされる際に、同様の手順が使用されうる。
【０００８】
図２を再び参照すると、ソースＲＡＮ／ＲＡＴ（この場合、ＬＴＥネットワーク）から、ターゲットＲＡＮ／ＲＡＴ（ＧＥＲＡＮ／ＵＴＲＡＮネットワーク）へ送信される測定設定（measurement configutation）は、IRAT Measurement Configuration IEを構成する情報エレメントにおいてキャプチャされる。IRAT Measurement Configuration IEの詳細については、3GPP TS 48.018、3GPP TS 25.413、及び3GPP TS 48.008において手に入れることが可能であり、それらの詳細の一部を、以下で図３及び図４に図示している。図３は、IRAT Measurement Configuration Information Element（IE）を示している。図４は、ＬＴＥからＵＴＲＡＮへのハンドオーバに使用されるようなIRAT Measurement Configuration IEの構成を示している。図４の設定は、Source BSS to Target BSS Transparent Container IE又はOld BSS to New BSS information IEを介して（ＧＥＲＡＮへのハンドオーバの場合。3GPP TS 48.018及び3GPP TS 48.008を参照）、又は、Source RNC to Target RNC Transparent Container IEを介して（ＵＴＲＡＮへのハンドオーバの場合。3GPP TS 25.413を参照）、ハンドオーバ・シグナリング内で、即ち、（図２のステップ１及びステップ２に示されるように）ＬＴＥにおいて生成されるHANDOVER REQUIREDメッセージ及びHANDOVER REQUESTメッセージの一部として、ＬＴＥによってＵＴＲＡＮ／ＧＥＲＡＮへ送信されうる。
【０００９】
そのような設定の受信に応じて、ＵＴＲＡＮ／ＧＥＲＡＮは、（ＬＴＥからハンドオーバされる）ＵＥを、Measurement Duration IEと等しい期間における測定であって、Ｅ−ＵＴＲＡ絶対無線周波数チャネル番号（Ｅ−ＡＲＦＣＮ：E-UTRA Absolute Radio-Frequency Channel Number）で示されるＥ−ＵＴＲＡＮ周波数での測定を実行するよう、設定する必要がある。測定が行われるＬＴＥセルは、測定結果が、REPORTING_THRESHOLD IE、又はReference Signal Received Power (RSRP) IE又はReference Signal Receive Quality (RSRQ) IEで規定される、予め設定された閾値を上回る場合に、ターゲットＵＴＲＡＮ／ＧＥＲＡＮ基地局によって記録される。
【００１０】
不要ＩＲＡＴハンドオーバ手順の結果としてＵＥによって実行された測定は、（ＵＴＲＡＮにおける条件を示す3GPP TS 25.413から抜粋された）以下の条件を満たした場合、ＲＩＭメッセージ（図２のステップ５を参照）の一部として、ＧＥＲＡＮ／ＵＴＲＡＮからＥ−ＵＴＲＡＮへのHO Report IEの配信をトリガする。
『ＨＯ報告は、測定期間全体にわたって測定結果が閾値を超える、単一のソースＲＡＴセルが存在するか、又はソースＲＡＴセルのグループが一緒にそのようなカバレッジを提供する場合に、送信されなければならない。第１ＵＥ測定報告における閾値を超えるセルが、ＨＯ報告に含められる。両方の閾値が存在する場合、受信された無線測定値は、指示された無線条件を満たすために、ＲＳＲＰ及びＲＳＲＱ閾値の両方を超えなければならない。
設定された測定期間の終わりにＲＮＣからＨＯ報告が送信された際には、HO Report Type IEを"Unnecessary HO to another RAT"に設定しなければならない。設定された測定期間内にＬＴＥへのＲＡＴ間ハンドオーバが実行されたことに起因して測定期間が満了した場合、ＲＮＣは、ＨＯ報告内のHO Report Type IEを、"Early IRAT Handover"に設定しなければならない。
Ｅ−ＵＴＲＡＮセルが含められ得なければ、又は、知らされた期間が、ＬＴＥと異なるＲＡＴへのＲＡＴ間ハンドオーバ若しくはＳＲＮＣリロケーションによるＵＭＴＳ内ハンドオーバによって中断された場合、ＨＯ報告は送信されてはならない。』
【００１１】
上記の引用から分かるように、測定設定基準を満たす、検出されたセルが存在する場合にのみ、HO Report IEが生成される。測定ウィンドウ時間がＬＴＥへのＲＡＴ間ハンドオーバによって中断された場合において、検出されたセルごとの、報告されたＵＥ測定値が、設定された測定ウィンドウの期間全体において、又はそのような期間の一部において、設定された閾値を満たすときにのみ、セルがＨＯ報告に含められうる。
【００１２】
全ての条件が満たされた場合、ＵＴＲＡＮ／ＧＥＲＡＮからＲＩＭを介してＬＴＥへ送信されるHO Report IEは、図５に示されるように構成される（3GPP TS 36.413を参照）。HO Report IEにおいて、Candidate Cell List IEにおいて報告されるセルは、十分に良好なカバレッジを提供する、即ち、IRAT Measurement Configuration IEに規定された基準を満たす、ＬＴＥセルである（図３及び図４を参照）。そのようなセルは、Ｅ−ＵＴＲＡＮセル・グローバル識別子（Ｅ−ＣＧＩ：E-UTRAN Cell Global Identity）のリストによって表される。後者は、図６及び図７に示されるように詳述される、Candidate Cell ID IEの規格から見られうる（3GPP TS 36.413を参照）。
【００１３】
本明細書で示される議論は、全体として、図８に示されるような構成を有する管理システムを想定している。この構成では、ｅＮｏｄｅＢとも称されるノードエレメント（ＮＥ）は、オペレーション・サポート・システム（ＯＳＳ）とも称されるドメイン・マネージャ（ＤＭ）によって管理される。ＤＭは、更に、ネットワーク・マネージャ（ＮＭ）によって管理されうる。ＤＭ及びＮＭによって構成されるシステムは、運用管理システム（ＯＡＭ：Operation and Maintenance System）とも称されうる。２つのＮＥは、Ｘ２によってインタフェースされる一方、２つのＤＭ間のインタフェースは、Ｉｔｆ−Ｐ２Ｐと称される。以下の議論では、ＮＥパラメータを自動的に最適化する機能が、原理的に、ＮＥ、ＤＭ又はＮＭにおいて実行されうることが更に想定される。
【発明の概要】
【００１４】
測定されたセルを一義的に識別するために、上記で議論した技術に従ってソースＲＡＴへハンドオーバ報告を提供するターゲットＲＡＴにおけるネットワークノードは、各セルを識別できるであろうグローバルセル識別子(例えば、Ｅ−ＵＴＲＡＮセル・グローバル識別子又はＥＣＧＩ等）を使用できる。しかし、これは、可能性のある各ターゲットノード（例えば、各基地局）に、物理セル識別子（ＰＣＩ：Physical Cell Identifier）等の、典型的にはセル自身のモニタリングから入手可能な非グローバル情報からセルを識別するのに十分な情報が、予め与えられていることを必要とするであろう。この情報を全てのターゲットノードに事前設定することは望ましくない。
【００１５】
ここで開示する技術及び装置の実施形態は、この問題及び他の問題に対処する。いくつかの実施形態では、ターゲットＲＡＴ間ノードが、ＰＣＩと周波数とセルのＥＣＧＩとの間のマッピングを設定されていない場合に、ＵＴＲＡＮ内及びＧＥＲＡＮ内の両方のＵＥが、検出されたＬＴＥセルについてのＰＣＩ及び周波数インジケーションを報告したら、ＵＥによって検出されて報告されたセルをｅＮＢが一義的に識別するのを支援するために、ＰＣＩ及び検出されたセルの周波数は、HO Report IE内の適切なリストに含められるべきである。以下で説明する実施形態は、不要ＩＲＡＴハンドオーバ検出基準を満たすセルについてのＰＣＩ及び周波数情報を、既存のHO Report IEへ追加することを提供する。
【００１６】
いくつかの実施形態に係る方法の例は、第１ＲＡＴに従って第１ＲＡＮにおいて動作するネットワークノードにおける実施に適している。この場合、ネットワークノードは、ＩＲＡＴハンドオーバのターゲットである。本方法は、第２ＲＡＴに従って動作する第２ＲＡＮ内のセルから、ユーザ装置についてのハンドオーバ要求を受信することと、第１ＲＡＮ内のセルへのユーザ装置のハンドオーバの完了後に、第２ＲＡＮに対応する１つ以上の周波数を測定するよう、ユーザ装置を設定することと、を含む。本方法は、１つ以上の周波数についてユーザ装置によって報告された測定値に基づいて、測定閾値を超える１つ以上の検出されたセルを識別することと、ハンドオーバ報告を第２ＲＡＮに向けて送信することと、を含む。ハンドオーバ報告は、測定閾値を超える少なくとも１つの検出されたセルについて、当該検出されたセルの物理セル識別子と、当該検出されたセルの周波数識別子とを含む。ハンドオーバ報告を送信した後に、ネットワークノードは、少なくとも１つの検出されたセルについての設定情報を、別のノードから取得する。更に、この設定情報は、少なくとも１つの検出されたセルへのハンドオーバをトリガするためのように、その後のモビリティ手順のために使用されうる。
【００１７】
いくつかの実施形態では、取得された設定情報には、グローバルセル識別子、トラッキングエリア識別子（ＴＡＩ）、ＬＴＥ ｅＮＢ ＩＤ、及び１つ以上のサポートされている公衆陸上移動体ネットワーク（ＰＬＭＮ）識別子、のうちの１つ以上が含まれる。いくつかの実施形態では、設定情報の取得は、ユーザ装置によって検出されたセルが、クローズド加入者グループ（ＣＳＧ）セルであるかどうかに基づいてトリガされる。
【００１８】
設定情報を取得することは、いくつかの実施形態では、運用管理（ＯＡＭ）ノードと通信し、当該ＯＡＭノードから設定情報を受信することを含みうる。他の実施形態では、設定情報を取得することは、無線ネットワーク制御装置（ＲＮＣ）等のＲＡＮノードと通信し、当該ＲＡＮノードから設定情報を受信することを含む。
【００１９】
更に他の実施形態では、設定情報を取得することは、少なくとも１つの検出されたセルについての追加のパラメータの測定及び報告をユーザ装置に要求することを含む。これらの実施形態のいくつかでは、ネットワークノードは、少なくとも１つの検出されたセルについてのシステム情報ブロック（ＳＩＢ）を読み取り、かつ、当該少なくとも１つの検出されたセルについての、グローバルセル識別子、ＴＡＩ、及びＰＬＭＮ ＩＤのリストのうちの１つ以上を報告するよう、ユーザ装置に要求する。これらの実施形態のいくつかでは、ネットワークノードは、測定及び報告を、その後にユーザ装置に対するトラヒック負荷が減少した際に実行するよう、当該ユーザ装置を設定する。
【００２０】
いくつかの実施形態では、ネットワークノードは、ハンドオーバ要求に関連するメッセージで、第２ＲＡＮに対応する１つ以上の周波数を識別する情報を受信する。これらの実施形態のいくつかでは、当該１つ以上の周波数を識別する情報は、Ｅ−ＵＴＲＡ絶対無線周波数チャネル番号（ＥＡＲＦＣＮ：E-UTRA Absolute Radio-Frequency Channel Number）を含む。いくつかの実施形態では、ネットワークノードは、更に、ハンドオーバ要求に関連するメッセージで、１つ以上の周波数のうちの少なくとも１つについて、１つ以上の周波数のうちの当該少なくとも１つに対応するＣＳＧセルをユーザ装置が測定すべきか否かを示す、測定情報を受信する。これらの実施形態では、第２ＲＡＮに対応する１つ以上の周波数を測定するよう、ユーザ装置を設定することは、受信した測定情報に従って、ＣＳＧセルを測定するよう、又はＣＳＧセルを測定しないよう、ユーザ装置を設定することを含む。これらの実施形態のいくつかにおける測定インジケータは、１つ以上の周波数の全てについてＣＳＧセルをユーザ装置が測定すべきか否かを示す、単一のインジケータでありうる。これらの実施形態のその他では、１つ以上の周波数のそれぞれについて個別のインジケータが設けられてもよい。
【００２１】
いくつかの実施形態では、ハンドオーバ報告は、測定閾値を超える検出されたセルのうちの少なくとも１つについて、グローバルセル識別子を含む。いくつかの実施形態では、グローバルセル識別子が知られていない、又はユーザ装置によって報告された測定値からグローバルセル識別子が得られない、検出されたセルに対してのみ、物理セル識別子及び周波数識別子が含まれる。実施形態によって示されるように、第１及び第２ＲＡＴは、異なるＲＡＴでありうる。
【００２２】
本技術に係る他の方法の例は、第１ＲＡＴに従って第１ＲＡＮにおいて動作するネットワークノードにおいて実施される。この場合、ネットワークノードは、ＩＲＡＴハンドオーバのソースノードである。本方法は、ハンドオーバ必要（handover-required）インジケーションを第２ＲＡＮに向けて送信することによって、第１ＲＡＮ内のセルから、第２ＲＡＴに従って動作する第２ＲＡＮ内のセルへの、ユーザ装置のハンドオーバを開始することを含む。これは、ハンドオーバ必要インジケーションを第２ＲＡＮに向けて送信することによって行われうる。本方法の例は、第２ＲＡＮ内のセルへのユーザ装置のハンドオーバの完了後に、第２ＲＡＮからハンドオーバ報告を受信することを含む。当該ハンドオーバ報告は、ユーザ装置によって検出された少なくとも１つのセルについて、当該検出されたセルの物理セル識別子と、当該検出されたセルの周波数識別子とを含む。更に、ネットワークノードは、ハンドオーバ報告の受信に応じて、当該少なくとも１つのセルのグローバルセル識別子を、物理セル識別子及び周波数識別子に基づいて識別子し、セルについての、及び／又は少なくとも１つのセルについての１つ以上のモビリティ設定を調整する。
【００２３】
いくつかの実施形態では、本方法は、更に、第２ＲＡＮに向けて、ハンドオーバ要求に関連するメッセージで、ユーザ装置によって測定されるべき１つ以上の周波数を識別する情報を送信することを含む。１つ以上の周波数を識別する情報は、いくつかの実施形態では、ＥＡＲＦＣＮを含みうる。いくつかの実施形態では、ネットワークノードは、更に、ハンドオーバ要求に関連するメッセージで、１つ以上の周波数のうちの少なくとも１つについて、１つ以上の周波数のうちの当該少なくとも１つに対応するＣＳＧセルをユーザ装置が測定すべきか否かを示す、測定情報を送信する。いくつかの実施形態では、この測定情報は、１つ以上の周波数の全てについてＣＳＧセルをユーザ装置が測定すべきか否かを示す、単一のインジケータを含みうる。他には、当該測定情報は、１つ以上の周波数のそれぞれについて個別のインジケータを含む。
【００２４】
いくつかの実施形態では、ネットワークノードは、ハンドオーバ要求に関連するメッセージで、測定閾値を識別する情報を送信する。いくつかの実施形態では、受信されたハンドオーバ報告は、ユーザ装置によって検出された少なくとも１つのセルについて、グローバルセル識別子を含む。
【００２５】
上記で簡単に説明した技術及び以下で詳細に説明する技術は、可能性のあるＬＴＥ隣接セルについての詳細を、ＧＥＲＡＮ ＢＳＳ及びＵＴＲＡＮ無線ネットワーク制御装置（ＲＮＣ）に格納するために必要とされる設定の試みを、劇的に減少させることを可能にする。当該技術は、不要ＩＲＡＴハンドオーバ検出の手順の間に、ＵＴＲＡＮ内のＵＥについての測定値を読み取る、ＩＲＡＴシステム情報ブロードキャスト（ＳＩＢ：System Information Broadcast）の減少も可能にする。
【００２６】
本明細書で説明される方法は、ＧＥＲＡＮ ＢＳＳ又はＵＴＲＡＮ ＲＮＣが、信頼性のあるハンドオーバ候補であるＬＴＥ隣接セルを発見し、かつ、そのようなセルについての情報の設定／取り出しをトリガすることを可能にし、それにより、これらのセルに向けた手順（例えば、ハンドオーバ）は、必要な際に開始されることが可能になる。本明細書で詳しく説明する方法のいくつかは、ＧＥＲＡＮ内のＵＥによって実行される測定の回数を制限できる可能性もある。
【００２７】
以下の詳細な説明では、上記で簡単に説明したいくつかの実施形態について詳細に説明し、上記で簡単に説明した方法を実行する、対応する装置の説明について記載する。しかし、これらの実施形態は、例示を意図したものであり、網羅的なものではないことは理解されるべきである。
【図面の簡単な説明】
【００２８】
【図１】図１は、ＬＴＥ及びＧＥＲＡＮ／ＵＴＲＡＮとを結合した構成の図である。
【図２】図２は、現在の標準規格による、不要ＩＲＡＴハンドオーバ検出手順のためのメッセージシーケンスチャートである。
【図３】図３は、IRAT Measurement Configuration IEの構成を示す。
【図４】図４は、ＬＴＥからＵＴＲＡＮへのハンドオーバに使用されるようなIRAT Measurement Configuration IEの構成を示す。
【図５】図５は、TS 36.413による、HO Report IEの構成を示す。
【図６】図６は、ＩＲＡＴセルＩＤの構成を示す。
【図７】図７は、E-UTRAN CGI (ECGI) IEの構成を示す。
【図８】図８は、管理システムの図である。
【図９】図９は、いくつかの実施形態に係る、ＨＯ報告を送信するよう構成されたネットワークノードのブロック図である。
【図１０】図１０は、いくつかの実施形態に係る、Candidate PCI IEを有するHO Report（ＨＯ報告）の構成を示す。
【図１１】図１１は、いくつかの実施形態に係る、Candidate PCIについての範囲を示す。
【図１２】図１２は、いくつかの実施形態に係る、Candidate PCI IEの構成を示す。
【図１３】図１３は、いくつかの実施形態に係る、適切なＬＴＥセルのＰＣＩ及び周波数識別子によるＨＯ報告の改善のためのメッセージシーケンスチャートである。
【図１４】図１４は、いくつかの実施形態に係る、不要ＩＲＡＴハンドオーバ検出に応じてセルパラメータを取得するための、メッセージシーケンスチャートである。
【図１５Ａ】、
【図１５Ｂ】図１５Ａ−１５Ｂは、いくつかの実施形態に係る、ＨＯ報告を送信し、モビリティ手順のために設定情報を取得及び使用するための方法を示すフローチャートである。
【図１６】図１６は、いくつかの実施形態に係る、ＨＯ報告に応じてモビリティ設定を調整するための方法を示すフローチャートである。
【図１７】図１７は、いくつかの実施形態に係る、モビリティ手順のために設定情報を取得及び使用するネットワークノードの機能的な実現例のブロック図である。
【発明を実施するための形態】
【００２９】
以下では、発明概念について、当該発明概念の実施形態の例が示された添付の図面を参照して、より十分に説明する。しかし、これらの発明概念は、多くの異なる形式で具体化することができ、本明細書で説明する実施形態に限定されるものと解釈されてはならない。むしろ、これらの実施形態は、本開示が詳細かつ完全となるように提供され、本発明概念の範囲を当業者に十分に伝える。これらの実施形態は互いに排他的ではないことに留意すべきである。１つの実施形態からの構成要素は、暗黙のうちに、他の実施形態において存在する又は使用されることが想定されうる。
【００３０】
例示及び説明のみを目的として、置き換え可能に無線端末又はＵＥとも称される、モバイル端末と、特定のＲＡＴを使用して無線通信チャネルを介して通信するＲＡＮにおける動作、又は当該ＲＡＮと関係した動作との関連で、本発明概念の実施形態について本明細書で説明する。より具体的には、時には次世代ＵＭＴＳ地上無線アクセスネットワークと称され、ＬＴＥシステムとして広く知られている、Ｅ−ＵＴＲＡＮとの関連で、実施形態について説明する。しかし、当該技術はＥ−ＵＴＲＡＮの後継だけでなく他の無線ネットワークにも適用できることが理解されよう。このため、本明細書における、ＬＴＥについての３ＧＰＰ標準規格からの用語を用いた信号への言及は、より広く、他のネットワークにおける同様の特性及び／又は目的を有する信号に対して適用されるものと理解されるべきである。
【００３１】
本明細書で使用されるように、用語「モバイル端末」、「無線端末」、「ユーザ装置」又は「ＵＥ」は、通信ネットワークからデータを受信し、通信ネットワークへデータを送信する任意のデバイスに言及するために使用され、いずれも、例えば、携帯電話（「セルラ」電話）、ラップトップ／ポータブルコンピュータ、ポケットコンピュータ、ハンドヘルドコンピュータ、デスクトップコンピュータ、マシン・ツー・マシン（Ｍ２Ｍ）又はマシンタイプ通信（ＭＴＣ）デバイス、無線通信インタフェースを有するセンサ等でありうる。これらのタイプのいずれのデバイスも、既知の技術に従って、及び本明細書において開示される追加の技術に従って、デバイス・ツー・デバイス（Ｄ２Ｄ）モードでの動作用に構成されてもよく、その場合、そのような動作は、セルラネットワークにおいて（即ち、デバイス・ツー・基地局動作モードで）動作する際に使用される対応する信号と同様又は一致する、特定の信号の送信及び受信を含みうる。
【００３２】
いくつかの実施形態では、用語「ネットワークノード」が使用される。この用語は、ＵＥとの通信及び／又は他のネットワークノードとの通信を行う、任意のタイプの無線ネットワークノード又は無線通信ネットワークの固定部分における他のノードを示しうる。ネットワークノードの例は、ｅＮｏｄｅＢ又はｅＮＢ、基地局（ＢＳ）、ＭＳＲ ＢＳのようなマルチスタンダード無線（ＭＳＲ）無線ノード、ネットワーク制御装置、無線ネットワーク制御装置（ＲＮＣ）、基地局制御装置（ＢＳＣ）、中継器、ドナーノード制御中継器、無線基地局（ＢＴＳ）、アクセスポイント（ＡＰ）、送信ポイント、送信ノード、リモート・ラジオ・ユニット（ＲＲＵ）、リモート・ラジオ・ヘッド（ＲＲＨ）、分散アンテナシステム（ＤＡＳ：distributed antenna system）内のノード、コアネットワークノード（例えば、モバイルス・スイッチング・センター又はＭＳＣ、ＭＭＥ等）、Ｏ＆Ｍ、ＯＳＳ、自己組織化ネットワーク（ＳＯＮ：self-organizing networks）、ポジショニングノード（例えば、拡張サービング・モバイル・ロケーション・センター又はＥ−ＳＭＬＣ）、ドライブテストの最小化（ＭＤＴ：minimization of drive-testing）等である。
【００３３】
本明細書に記載の技術のいくつかは、ネットワークノードに設けられる電子データ処理回路及び他の電子ハードウェアを用いて実現される。場合によっては、ネットワークノードは基地局であり、それ故に、１つ以上のユーザ装置と通信するための無線回路を更に備える。
【００３４】
例えば、図９は、ネットワークノードの例を示しており、この場合、本明細書で説明される実施形態の例のいくつかにおいて使用可能な基地局１０（例えば、ＬＴＥ ｅＮｏｄｅＢ又はＧＥＲＡＮ ＢＳＳ）を示す。マクロｅＮＢは、実際には、サイズ及び構成がスモールセルｅＮＢと一致しないが、例示を目的として、基地局１０は、同様の構成要素を備えるものとしていることが、理解されよう。このため、基地局１０は、マクロ基地局に対応するかスモールセル基地局に対応するかを問わず、基地局１０の動作を制御する処理回路を備える。処理モジュール４０は、１つ以上のマイクロプロセッサ、マイクロコントローラ、デジタルシグナルプロセッサ、専用デジタルロジック等を備えてよく、ネットワーク内のＵＥへ信号を送信し、また、ネットワーク内のＵＥから信号を受信するために使用される、関連する（複数の）アンテナ４４を有する送受信機モジュール４２に接続されている。基地局１０は、処理モジュール４０に接続された、基地局１０の動作に必要となるプログラムと他の情報及びデータとを格納するメモリ回路４６を更に備える。また、処理モジュール４０及びメモリ回路４６は、「処理回路」と称されることがあり、種々の実施形態では、以下で説明されるネットワーク関連技術の１つ以上を実施するよう構成される。
【００３５】
基地局１０は、更に、基地局１０が（例えば、Ｘ２インタフェースを介して）他の基地局１０と情報を交換することを可能にする、ｅＮｏｄｅＢインタフェース４８のようなコンポーネント及び／又は回路と、基地局１０が（例えば、Ｓ１インタフェースを介して）コアネットワーク内のノードと情報を交換することを可能にする、コアネットワークインタフェース４９のようなコンポーネント及び／又は回路と、を備える。他のタイプのネットワーク（例えば、ＵＴＲＡＮ又はＷＣＤＭＡ ＲＡＮ）で用いられる基地局が、図９に示されるコンポーネントと同様のコンポーネントと、他のタイプのネットワーク内の他のネットワークノード（例えば、他の基地局、モビリティ管理ノード、及び／又はコアネットワーク内の他のノード）との通信を可能にする、適切なインタフェース回路４８，４９と、を備えることが理解されよう。
【００３６】
ワーキンググループミーティングにおいて、３ＧＰＰのＲＡＮ３ワーキンググループは、ドキュメント"Response LS on the routing information for the unnecessary handover to another RAT detection," 3GPP doc. R3-142602 に同意した。当該ドキュメントには、「ＢＳＳにおいて、関係するあらゆるＥＣＧＩについて、対応するグローバルｅＮＢ ＩＤを設定することを避けるために、ＲＡＮ３は、ＲＡＮ３＃８５ｂｉｓにおいて、それ故に、Ｅ−ＣＧＩ及びＴＡＩに加えて、ソースグローバルｅＮＢ ＩＤも搬送されなければならないと決定した。」と記述されている。上記の記述は、ソースｅＮＢからターゲットＧＥＲＡＮ ＢＳＳへのＨＯ必要メッセージの一部としての、（不要ＩＲＡＴハンドオーバ検出を要求するｅＮＢの）ｅＮＢ ＩＤのシグナリングは、ＢＳＳにＥＣＧＩ情報を設定することを避けるのに十分であるというように解釈されうる。ＵＴＲＡＮ ＲＮＣターゲットについて同様のことが言える。しかし、これは、ターゲットＢＳＳ又はターゲットＲＮＣにおける設定（configuration）の試みを回避する利点が部分的にのみ有効であることを想定しており、それは、ｅＮＢ ＩＤのみの知識が、ソースｅＮＢのグローバルｅＮＢ ＩＤの、ターゲットＩＲＡＴノード（ターゲットＲＡＴ間ノード、即ち、他のＲＡＴからのＵＥのハンドオーバを受け付けるノード）の設定を行うあらゆる必要性を回避するためである。即ち、ターゲットＩＲＡＴノードは、不要ＩＲＡＴハンドオーバ応答の一部としてHO Report IEの宛先とすべきソースｅＮＢのセルに関する、何らの設定されたパラメータを必要としないであろう。これは、不要ＩＲＡＴハンドオーバ検出をトリガする、S1: HO Requiredメッセージが、既に、Ｅ−ＣＧＩ、トラッキングエリア識別子（ＴＡＩ）、及び、機能が開始され、かつ、ＨＯ報告がルーティングされるべきｅＮＢ ＩＤを、含んでいるであろうためである。
【００３７】
しかし、図５に示されるように作成される、ＨＯ報告は、候補セルリストを含み、当該候補セルリストは、ターゲットＲＡＴにある間にＵＥによって検出されたセルのＥ−ＣＧＩを含む。したがって、ターゲットＲＡＴノード（例えば、ＧＥＲＡＮ ＢＳＳ）に隣接ＬＴＥセル情報を設定することの問題は、依然として当てはまり、これは、HO Report IEをソースｅＮＢに送信しなければならないノードが、（IRAT Measurement Configuration IEにおいて提供されるような測定設定基準を満たす）ＵＥによって提供された測定値を、検出されたセルのＥ−ＣＧＩにマッピングすることができなければならないためである。これは、不要ＩＲＡＴハンドオーバ検出基準を満たす、全ての報告されたセルについて行われなければならない。
【００３８】
ＧＥＲＡＮ内のＵＥが、検出したターゲットＬＴＥセルのＰＣＩのみと、ＬＴＥセルの周波数を識別するインデックスとを報告すると考えた場合に、問題はより良く理解することができ、そのようなインデックスは、サービングＢＳＳによってブロードキャストされた周波数のリストを全てのＵＥにマッピングする。同様に、ＵＴＲＡＮ内のＵＥは、まず、検出したＬＴＥセルのＰＣＩ及びターゲット周波数を報告する。ＵＴＲＡＮでは、検出されたセルについての更なる情報を取得するよう、ＵＥに対して更なる測定をトリガすることが可能でありうるが、そのような追加の測定は、データトラフィックの長い中断とバッテリー消費とを招くであろう。したがって、ＵＥが、ＬＴＥセル測定をＰＣＩ及び周波数に限定することが望ましい。
【００３９】
このような理由により、ＵＥによって報告され、かつ、不要ＩＲＡＴ ＨＯ検出基準を満たす、全てのＬＴＥセルについてのＥ−ＣＧＩが、HO Report IEに含まれていなければならない場合には、ターゲットＧＥＲＡＮ ＢＳＳは、HO Report IEに含まれるべき、報告されたＰＣＩ及び周波数及びＥＣＧＩの間のマッピングを設定されなければならない。同様に、追加のＲＡＴ間測定を避けることが望ましい場合には、ターゲットＵＴＲＡＮ ＲＮＣは、同じ方法で設定される必要があろう。
【００４０】
以下で説明する技術及び装置は、全ての隣接セルについてのグローバルセル識別子情報をＧＥＲＡＮ ＢＳＳ又はＵＴＲＡＮ ＲＮＣに設定することを必要とせずに、HO Report IEにおける不要ＩＲＡＴ ＨＯ検出基準を満たす全てのＬＴＥセルを報告する可能性を実現する。更に、これらの技術は、不要ＩＲＡＴハンドオーバ検出基準を満たす、検出されたセルについての追加情報の取得を可能にする。
【００４１】
現在の標準規格の他の問題は、ＧＥＲＡＮにおいてサービスされているＵＥに測定を要求する際に、ＢＳＳが、測定要求メッセージ内の、１つのオプションのＩＥで、マクロ隣接セル用のＥ−ＵＴＲＡＮ周波数を、他のオプションのＩＥで、クローズド加入者グループ（ＣＳＧ）隣接セル用のＥ−ＵＴＲＡＮ周波数を提供するという事実から生じる。このようなメッセージの例は、PACKET MEASUREMENT ORDERメッセージであり、これは、ＧＥＲＡＮ ＢＳＳからＵＥへのパケット付随制御チャネル（ＰＡＣＣＨ：Packet Associated Control Channel）上で送信され、マクロ隣接セル用のＥ−ＵＴＲＡＮ周波数を、E-UTRAN Parameters IEに含み、ＣＳＧ隣接セル用のＥ−ＵＴＲＡＮ周波数を、E-UTRAN CSG Description IEに含む（ＢＳＳがE-UTRAN CSG Description IEをＵＥへ送信する条件は、ＵＥが、その機能でE-UTRAN CSG Cells Reportingをサポートしていることを、知らせたことである）。E-UTRAN CSG Description IEをPACKET MEASUREMENT ORDERメッセージから除外することは、ＵＥが、Ｅ−ＵＴＲＡＮ ＣＳＧセルに対して何も測定を実行せず、それ故に、ＵＥが、このタイプのセルについてネットワークへ何も測定報告を送信しないことを意味する。
【００４２】
上述のように、IRAT Measurement Configuration IEは、ターゲットＧＥＲＡＮ ＢＳＳが測定の実行をＵＥに設定する、EARFCN IEによって示されたＥ−ＵＴＲＡＮ周波数のリストを含む。しかし、IRAT Measurement Configuration IEは、示されたＥ−ＵＴＲＡＮ周波数についてＥ−ＵＴＲＡＮ ＣＳＧ隣接セルに対する測定を実行（及び報告）するよう、ＵＥを設定すべきかどうかを、ＧＥＲＡＮ ＢＳＳが結論付けるのに役立つであろう情報を何も含まない。これは、示されたＥ−ＵＴＲＡＮ周波数のうちの１つ以上についてＢＳＳにおいてセルがセルが設定されていない場合に、より明らかになる。
【００４３】
その結果として、及びＢＳＳの実現例に依存して、Ｅ−ＵＴＲＡＮ ＣＳＧ隣接セルは、ＵＥに測定を要求する場合に除外される可能性があり、それ故に、ソースｅＮＢからの不要ＩＲＡＴハンドオーバ検出測定要求の送信時の意図が、当該測定においてＥ−ＵＴＲＡＮ ＣＳＧセルもカバーすることだったが、Ｅ−ＵＴＲＡＮマクロ隣接セルからの測定結果のみが、HO Report IEに含まれうる。
【００４４】
ＣＳＧセルの測定は、測定方向に含まれるルーティング情報のサイズに起因して、ＧＥＲＡＮ内でサービスされている間にＵＥに対してかなりコストがかかることに言及するのは価値があり、それ故に、一部のＢＳＳが（再び実現例に依存して）、ＣＳＧセルに対する測定を、そうするよう設定された場合に実行することのみをＵＥに要求する見込みが極めて高い。
【００４５】
同じように、IRAT Measurement Configuration IEに含まれるＥ−ＵＴＲＡＮ周波数の全てについて、Ｅ−ＵＴＲＡＮ ＣＳＧ隣接セルに対してだけでなく、Ｅ−ＵＴＲＡＮマクロ隣接セルに対して測定を実行するよう、ＵＥに要求するＢＳＳは、上記の理由によって、ＵＥに対して不必要な負荷を生じさせる可能性がある。
【００４６】
上述の第１の問題を取り除く方法は、HO Report IEにおいて追加情報の報告を許可することである。とりわけ、そのような追加情報は、ＲＡＴ間ターゲットノードにおいて隣接ＬＴＥセルに関する情報を設定することを必要としてはならない。
【００４７】
検出された物理セル識別子（ＰＣＩ：Physical Cell Identities）のリストをHO Report IEに含める１つの提案は、３ＧＰＰワーキンググループ・ミーティングで提出されたway-forwardドキュメントにおいて既に簡潔に説明されている。"Way Forward on GERAN LS on routing information for unnecessary handover," 3GPPドキュメント R3-142539を参照されたい。しかし、ＰＣＩは異なる複数の周波数間で再利用されうるため、この改善では十分ではないであろう。その結果、検出されたＰＣＩであって、かつ、（不要ＩＲＡＴハンドオーバ検出の目的のために）適切なＰＣＩのリストのみが、HO Report IEにおいて与えられる場合、及びこれらのＰＣＩの１つ以上が異なるキャリア間で再利用される場合には、受信ノードは、ＰＣＩがどのセルに対応するかを知ることはないであろうし、また、信頼性のある方法で不要ＩＲＡＴハンドオーバを防止するためにモビリティパラメータの変更を適用することはできないであろう。
【００４８】
このようなモビリティパラメータの変更が、それ以前に選択されたＲＡＮ間ハンドオーバターゲットの置き換え時に、報告されたＬＴＥセルのうちの１つをハンドオーバターゲットとして優先することから成ることに言及するのは価値がある。したがって、そのような調整を（異なるキャリア周波数間での報告されたＰＣＩの再利用に起因して識別された）誤ったセルに対して適用することは、深刻なモビリティ問題を引き起こし、かつ、性能低下を引き起こす可能性がある。
【００４９】
いくつかの実施形態によれば、より優れたソリューションは、ターゲットＲＡＴ間ノードが、ＰＣＩと周波数とセルのＥＣＧＩとの間のマッピングを設定されていない場合を含み、ＵＴＲＡＮ内及びＧＥＲＡＮ内の両方のＵＥが、検出されたＬＴＥセルについてのＰＣＩ及び周波数インジケーションを報告したら、ＵＥによって検出されて報告されたセルをｅＮＢが一義的に識別するのを支援するために、ＰＣＩ及び検出されたセルの周波数は、HO Report IE内の適切なリスト（又は候補リスト）に含められるべきである。このため、以下での議論は、不要ＩＲＡＴハンドオーバ検出基準を満たすセルについてのＰＣＩ及び周波数情報を、既存のHO Report IEへどのように追加するかについての詳細を含む。
【００５０】
不要ＩＲＡＴハンドオーバ検出手順から予期される測定を更に特定するために、及び、それにより、ＧＥＲＡＮにおいてサービスされている間にＵＥによって実行される測定の回数を潜在的に制限するために、IRAT Measurement Configuration IEにおける個々のＥ−ＵＴＲＡＮ周波数に関連する、ある程度の追加情報が、ソースｅＮＢによって提供されうる。この追加情報は、例えば、個々のＥ−ＵＴＲＡＮ周波数についてのインジケータから成ってもよく、当該インジケータは、（ＬＴＥからハンドオーバされた）ＵＥが、知らされたＥ−ＵＴＲＡＮ周波数について、（１）Ｅ−ＵＴＲＡＮマクロ隣接セルのみの測定のために設定されるべきか、又は（２）Ｅ−ＵＴＲＡＮ ＣＳＧセルのみの測定のために設定されるべきを、又は（３）場合により両方のセルタイプの測定のために設定されるべきかを、ＢＳＳに知らせる。周波数固有のインジケータの代替として、IRAT Measurement Configuration IEに含まれる全てのＥ−ＵＴＲＡＮ周波数に対して有効な共通インジケータが、ソースｅＮＢによって提供されてもよい。
【００５１】
このため、本明細書で詳述されるソリューションの１つの態様によれば、不要ＩＲＡＴハンドオーバ検出の目的で測定の設定及び収集を要求されたノードは、検出基準を満たすセルについての報告に、ＥＣＧＩのようなセル設定パラメータが利用可能ではないセルを含める。このようなセルについてのＥＣＧＩの代わりに、検出されたセルについてのＰＣＩ及び周波数インジケータのリストが、HO Report IEと称される、不要ＩＲＡＴハンドオーバ検出報告に含められる。
【００５２】
本明細書で開示される技術及び装置の追加の態様は、拡張ＨＯ報告が送信されると、不要ＩＲＡＴハンドオーバ検出基準を満たすセルについての、追加のセル設定情報を取得する方法を含む。これらの方法のいくつかは、ＯＡＭとのシグナリング、又は他のＲＡＮノードとのシグナリングに基づいている。その他は、追加のセル設定を取得するためのＵＥ測定の設定に基づいている。
【００５３】
これらの態様のいくつかは、不要ＩＲＡＴハンドオーバ検出基準を満たすが、ターゲットＩＲＡＴノードにおいて追加情報を利用できないＬＴＥセルを（例えば、このようなセルは、ターゲットＩＲＡＴノードの隣接セルとして設定されていない）、ターゲットＩＲＡＴノードが検出すると、ターゲットＩＲＡＴノードが、そのようなセルについての、Ｅ−ＣＧＩ、トラッキングエリアコード（ＴＡＣ）、ｅＮＢ識別子（ｅＮＢ ＩＤ）のような詳細情報を収集し、かつ、それらを隣接セルとして適切に保存するための、ＯＡＭシステムとの手順をトリガする、実装固有の方法を含む。
【００５４】
いくつかの実施形態において、適切に検出された隣接ＬＴＥセルについての情報を収集する、このような手順は、他のＲＡＮ又はコアネットワーク（ＣＮ）ノードによりトリガされうる。例えば、このような情報は、ピアＲＡＮノードとの通信によってやりとりされうる。
【００５５】
あるいは、いくつかの実施形態におけるターゲットＩＲＡＴノードは、適切な場合（例えば、セルを検出したＵＥが高いトラフィック負荷を受けていない場合）には、問題になっているＬＴＥセルのＰＣＩの検出に応じて追加のＵＥ測定をトリガしうるとともに、そのセルを隣接セルとして保存するために必要となる、かつ、そのようなセルへのハンドオーバのような手順をトリガできるために必要となる情報を取得しうる。
【００５６】
ここで開示される技術のいくつかの実施形態では、ＰＣＩと、ＥＵＴＲＡＮ絶対無線周波数チャネル番号（ＥＡＲＦＣＮ）のような周波数識別子とのリストが、3GPP TS 36.413に規定されたSON Transfer Request Containerの一部としてＲＩＭメッセージで送信される、現在のHO Report IEに付加される。このようなリストに含まれる各ＰＣＩは、不要ＲＡＴ間ハンドオーバ検出機能のための測定が設定されたＵＥによって検出及び報告されたセルであって、ハンドオーバ・シグナリングによってターゲットＩＲＡＴノードへ送信された測定設定に規定された測定条件を満たしているセルに対応する。上述のように、ターゲットＩＲＡＴノードによるリストに含まれる各ＰＣＩは、当該ターゲットＩＲＡＴノードにおいて利用可能な、対応するＥＣＧＩを有していないことがある。いくつかの実施形態では、対応するＥＣＧＩが、HO Report IEの、既存のCandidate Cell List IDに付加されていない場合にのみ、ＰＣＩ及び周波数識別子が含められる。
【００５７】
周波数識別子の１つの可能性は、ＬＴＥキャリアの中心周波数を示す、ＥＡＲＦＣＮである。このようなパラメータは、また、ターゲットＩＲＡＴノードにおいてＵＥが、対応するＰＣＩの発見をもたらす測定を実行するよう設定された、キャリア周波数帯域又は周波数帯域のインジケーションに置き換え可能である。簡略化のため、「周波数識別子」との用語は、ＥＡＲＦＣＮ、又は、ターゲットＩＲＡＴノードにおいてＵＥが、対応するＰＣＩの検出をもたらす測定を実行するよう設定されたキャリア周波数若しくはセル周波数若しくは周波数のような、任意のパラメータを特定するために使用される。
【００５８】
このアプローチによれば、検出されたセルが、不要ＩＲＡＴハンドオーバ検出基準を満たす場合、及びターゲットＩＲＡＴノードが、対応するＥＣＧＩを推定できない場合に、ＰＣＩ及び周波数識別子が、HO Report IEで一緒に送信される。いくつかの実施形態において、これを実現するために現在の規格を修正する方法が、図１０及び図１１に示されており、候補ＰＣＩリスト（Candidate PCI List）が、HO Report IEの構成に追加されている。図１２は、３ＧＰＰ標準規格に追加された実現例を示しており、検出セルのＰＣＩ及びＥＡＲＦＣＮを含む。
【００５９】
図１０の例から分かるように、Candidate PCI IEのセマンティクス記述（semantics description）は、ＰＣＩ及びＥＡＲＦＣＮ（又は実際には上述の周波数識別子のいずれか）を用いて報告されたセルの存在により、既存のCandidate Cell List IEにおける同じセルの存在が除外されることを、説明している。実際、そのようなセルについて、ターゲットＲＡＴノードＥＣＧＩを導き出せる場合、当該セルは、Candidate Cell List IEでＥＣＧＩを用いて報告されなければならない。後者は、HO Report IEを受信するノードにおけるあらゆる混同を回避でき、そのような混同は、例えば、同じセルを２回受信することから成り、１回はCandidate Cell List IEで、もう１回はCandidate PCI List IEで受信することである。後者は、受信ノードが、ＰＣＩを用いて報告されたセルがターゲットＩＲＡＴノードにおいて設定されていない（例えば、隣接セルとして保存されていない）ことを理解するよう仕向けてもよく、その結果として、セルがターゲットＩＲＡＴノードにおいて設定されることを実現するメカニズムがトリガされうる。
【００６０】
しかし、代替のアプローチでは、受信ノードが、両方のリストにおいて報告されたセルがターゲットＩＲＡＴノードにおいて設定されていることを理解したという条件で、Candidate Cell List IE及びCandidate PCI List IEの両方において同じセルが識別されることが可能であろう。
【００６１】
これまでの実施形態によるHO Report IEにおいて提供される情報の量及びタイプを制御するために、上述の技術のいくつかの実施形態は、ソースｅＮＢからターゲットＩＲＡＴノードへ提供されるインジケーションを提供し、当該インジケーションは、ＣＳＧ ＩＤを送信するセルが、不要ＩＲＡＴハンドオーバ検出及び報告メカニズムに含まれるべきか否かを示す。種々の実施形態及び例では、それらは、他のセルと一緒に又は単独で含められる（即ち、ＣＳＧ ＩＤを送信するセルのみ - クローズド、ハイブリッド、又は両方のセル - が、含められうる又は除外されうる）。そのようなインジケーションは、ＣＳＧセル、即ち、ＣＳＧ ＩＤのメンバーであるＵＥのみがアクセス可能なセルを含むか、ハイブリッドセル、即ち、ＣＳＧ ＩＤが与えられ、かつ、全ＵＥにアクセス可能なセルであるが、ＣＳＧ ＩＤのメンバーであるＵＥが優先的に取り扱われるセルを含むか、又は、クローズドセル及びハイブリッドセルの両方を含むかの情報を含みうる。当該インジケーションは、クローズドセル及び／又はハイブリッドセルだけを含むか、又は、クローズドセル及び／又はハイブリッドセルと他のセルを含むかを示しうる。当該インジケーションは、上記で議論したようなIRAT Measurement Configuration IEの一部として、即ち、ターゲットＧＥＲＡＮ ＲＡＴ及び場合とターゲットＵＴＲＡＮ ＲＡＴの場合の両方に対して、提供されてもよい。当該インジケーションは、不要ＩＲＡＴハンドオーバ検出のためにソースｅＮＢによって知らされたＥＡＲＦＣＮごとに提供されてもよいし、IRAT Measurement Configuration IEで知らされた全ＥＡＲＦＣＮについての全体的なインジケーションとして提供されてもよい。そのようなインジケーションによって、ターゲットＲＡＴノードは、非ＣＳＧタイプセルに加えて（又は代えて）ＣＳＧタイプセル（即ち、クローズド又はハイブリッドセル）について、測定値を収集し、かつ、不要ＩＲＡＴハンドオーバ検出を実行するかどうかを、理解しうる。
【００６２】
そのような実施形態の拡張では、ターゲットＩＲＡＴノードが、不要ＩＲＡＴハンドオーバ検出基準を満たし、かつ、更なる情報（セルのＥＣＧＩ、ＴＡＣ、ｅＮＢ ＩＤ等）が利用できない、ＵＥによって報告されたセルが存在することを識別した場合、当該ターゲットＩＲＡＴノードは、検出されたセルに関する更なる詳細をもたらす設定情報を受信するために、ＯＡＭシステムとの通信をトリガする。そのようなトリガは、ＣＳＧタイプセルを報告するために不要ＩＲＡＴハンドオーバ検出メカニズムが設定されたか否かに依存しうる。いくつかの実施形態では、例えば、ＣＳＧタイプセルを報告するために検出が設定された場合、及び検出された全セルが、クローズドセル専用のＰＣＩの範囲内のＰＣＩを有する場合、更なる情報を収集するプロセスがトリガされなくてもよい。
【００６３】
ＯＡＭシステムは、問題となっているセルについての、ＥＣＧＩ、ＴＡＩ、ｅＮＢ ＩＤ、サポートされているＰＬＭＮ ＩＤといったセルパラメータのリストを提供しうる。ＯＡＭシステムは、更に、ＬＴＥセルを検出したＵＥにサービスを行うセルと、検出された当該ＬＴＥセルとの隣接関係を確立しうる。この隣接関係は、ターゲットＩＲＡＴノードが、その後に、検出されたＬＴＥセルへのハンドオーバをトリガすることを許可しうる。
【００６４】
例えばその後のハンドオーバ手順のために、検出されたＬＴＥセルとの隣接関係を確立することが、非常に有益であることに留意すべきであり、これは、問題となっているＬＴＥセルが、ターゲットＩＲＡＴノードに接続されたＵＥに対して所与の期間にわたって良好なカバレッジをもたらすために検出されたためである。したがって、このセルは、その後の潜在的なハンドオーバ候補である。
【００６５】
上述の方法の別の拡張では、不要ＩＲＡＴハンドオーバ検出基準を満たし、かつ、更なる情報（セルのＥＣＧＩ、ＴＡＣ、ｅＮＢ ＩＤ等）が利用できない隣接ＬＴＥセルが検出されると、ハンドオーバターゲットＲＡＴノードは、そのようなセルに関する情報を取得するために、他のＲＡＮノードとの手順をトリガしうる。ターゲットＲＡＴノードがＵＴＲＡＮ ＲＮＣである実施形態では、そのような手順は、自動隣接関係（ＡＮＲ：Automatic Neighbor Relation）情報の要求を可能にする、INFORMATION EXCHANGE INITIATION REQUEST/RESPONSEでありうる。当該情報は、隣接ノードが隣接関係を有する、セルとそれに対応するセルパラメータ（例えば、ＥＣＧＩ、ＰＣＩ）とのリストを含む。隣接ノードから、隣接セルとして設定されたセルに関する（又は、一般に、ＬＴＥセルのＰＣＩにマッピングされうる情報を隣接ノードが有するセルについての）情報を取得することによって、ＬＴＥセルのＰＣＩが検出されたノードは、検出されたＬＴＥセルに関する更なる情報を取得でき、そのような情報を更なる手順のために使用できる。情報のそのような収集は、ＣＳＧタイプセルを報告するために不要ＩＲＡＴハンドオーバ検出メカニズムが設定されたか否かに依存しうる。例えば、ＣＳＧタイプセルを報告するために検出が設定された場合、及び検出された全セルが、クローズドセル専用のＰＣＩの範囲内のＰＣＩを有する場合、更なる情報を収集するプロセスがトリガされなくてもよい。
【００６６】
上述の方法の更に別の拡張では、不要ＩＲＡＴハンドオーバ検出基準を満たし、かつ、更なる情報（セルのＥＣＧＩ、ＴＡＣ、ｅＮＢ ＩＤ等）が利用できない隣接ＬＴＥセルが検出されると、ハンドオーバターゲットＲＡＴノードは、ＵＥの測定をトリガして、検出されたセルの更なるパラメータを測定するようにＵＥに要求しうる。例えば、ＬＴＥセルが検出されたノードがＵＴＲＡＮ ＲＮＣである場合、当該ノードは、当該セルを検出したＵＥに対して、当該検出されたセルのシステム情報ブロック（ＳＩＢ）の読み取り、及び、セルのＥＣＧＩ、ＴＡＩ、ＰＬＭＮ ＩＤのリストといった情報の報告を求めうる。ＵＴＲＡＮ ＲＮＣは、更に、その後に、例えば、同じＰＣＩを検出した適切なＵＥに対するトラフィック負荷が減少した際に、測定を実行するよう、ＵＥを設定しうる。そのような測定のトリガは、ＣＳＧタイプセルを報告するために不要ＩＲＡＴハンドオーバ検出メカニズムが設定されたか否かに依存しうる。例えば、ＣＳＧタイプセルを報告するために検出が設定された場合、及び検出された全セルが、クローズドセル専用のＰＣＩの範囲内のＰＣＩを有する場合、更なる情報を収集するプロセスがトリガされなくてもよい。
【００６７】
ＧＥＲＡＮ ＢＳＳの場合、ＬＴＥセルがＣＳＧセルであれば、ＢＳＳは、当該セルのＳＩＢを読み取り、かつ、当該セルに関する更なる情報を報告するよう、ＵＥを設定しうる。
【００６８】
ＰＣＩ及び周波数インジケーションがＵＥによって報告されたＬＴＥセルであって、かつ、不要ＩＲＡＴハンドオーバ検出基準を満たすＬＴＥセルに関する更なる情報を取得することによって、ノードは、そのような情報を、そのよなセルへのハンドオーバのような更なる手順をトリガするために使用できる。
【００６９】
図１３は、本明細書で説明されている技術によって修正された不要ＩＲＡＴハンドオーバ検出手順のためのメッセージフローの例を示している。この非限定的な例では、第１ＲＡＮ２０４の基地局は、ＬＴＥのｅＮｏｄｅＢであり、ＵＥを他セルへハンドオーバすることを決定する。ターゲットセルは、ＧＥＲＡＮ ＢＳＳであるターゲットＲＡＮ２０２の基地局によってサービスされている。ステップ１において、第１ＲＡＮ２０４のｅＮｏｄｅＢは、第１ＲＡＮ２０４のセル内のＵＥについてハンドオーバが必要であることをコアネットワークに知らせる。HANDOVER REQUIREDメッセージは、図４に示されるようなIRAT Measurement Configuration IEを含みうる。ステップ２において、コアネットワークは、HANDOVER REQUESTメッセージを、ターゲットＲＡＮ２０２のＧＥＲＡＮ ＢＳＳへ送信する。ステップ３及び４は、HANDOVER REQUEST ACK及びHANDOVER COMMANDを示している。
【００７０】
この段階で、ＧＥＲＡＮ ＢＳＳは、不要ＩＲＡＴハンドオーバ測定をＵＥに設定する。測定閾値を超える測定値を有する検出セルが、識別される。ＧＥＲＡＮ ＢＳＳが、ＥＣＧＩがセルに利用可能であると判定した場合、ｅＮｏｄｅＢに送信されるHO Report IEのCandidate Cell List IEに、それが含められる。ＧＥＲＡＮ ＢＳＳが、ＥＣＧＩがセルに利用可能ではないと判定した場合、ＰＣＩ及び周波数識別子が、HO Report IEのCandidate PCI List IEに含められる。当該周波数識別子は、ＥＡＲＦＣＮでありうる。
【００７１】
ステップ５において、ＲＩＭ要求転送が、ｅＮｏｄｅＢへ送信され、かつ、HO Report IEを含みうる。ｅＮｏｄｅＢは、Candidate Cell List IE内のＥＣＧＩによってセルを識別する。ｅＮｏｄｅＢは、更に、Candidate Cell List IE内にＥＣＧＩを有しないセルを、Candidate PCI List IE内のＰＣＩ及びＥＡＲＦＣＮによって識別する。場合によっては、これは、そのようなセルについてのＥＣＧＩを、ＰＣＩ及びＥＡＲＦＣＮから判定することを含みうる。ｅＮｏｄｅＢは、その後、ターゲットＲＡＮ２０２のターゲットセルへ向けての、又は本実施形態においてCandidate PCI List IEによって改善されている、HO Report IEにおいて報告された検出セルへの、モビリティ設定を調整する。
【００７２】
図１４は、上述の拡張技術のメッセージフロー図の例を示している。例えば、ＲＩＭ要求の転送に続いて、ＲＡＮ２０２のノードは、更なる情報を取得する手順をトリガする。当該情報は、ＯＡＭ、隣接ＲＡＮノード、及びサービスされているＵＥから取得されうる。当該情報は、新たに設定されたセルに向けた手順をトリガするために使用されうる。
【００７３】
不要ＩＲＡＴハンドオーバ検出処理を向上させる、上記の詳細な例を前提として、これらの技術がより一般的に適用されうることが理解されるべきである。図１５は、第１ＲＡＴに従って第１ＲＡＮ２０２において動作するネットワークノードによって実行されうる方法１５００の例を示している。この場合、ネットワークノードは、ＩＲＡＴハンドオーバにおいてターゲットとされるセルのための、基地局１０のような基地局である。
【００７４】
ブロック１５１０及び１５４０に示されるように、方法１５００は、第２ＲＡＴに従って動作する第２ＲＡＮ２０４内のセルから、ユーザ装置についてのハンドオーバ要求を受信することと、第１ＲＡＮ２０２内のセルへのユーザ装置のハンドオーバの完了後に、第２ＲＡＮ２０４に対応する１つ以上の周波数を測定するよう、ユーザ装置を設定することと、を含む。方法１５００は、ブロック１５５０に示されるように、測定を行うようユーザ装置が設定された１つ以上の周波数についてユーザ装置によって報告された測定値に基づいて、測定閾値を超える１つ以上の検出されたセルを識別することと、ブロック１５６０に示されるように、ハンドオーバ報告を第２ＲＡＮ２０４に向けて送信することと、を含む。ハンドオーバ報告は、測定閾値を超える少なくとも１つの検出されたセルについて、当該検出されたセルの物理セル識別子と、当該検出されたセルの周波数識別子とを含む。
【００７５】
いくつかの実施形態では、ネットワークノードは、ハンドオーバ要求に関連するメッセージで、第２ＲＡＮ２０４に対応する１つ以上の周波数を識別する情報を受信する。これは、ブロック１５２０に示されている。これらの実施形態のいくつかでは、当該１つ以上の周波数を識別する情報は、ＥＡＲＦＣＮを含む。更なる実施形態では、ネットワークノードは、更に、ハンドオーバ要求に関連するメッセージで、１つ以上の周波数のうちの少なくとも１つについて、１つ以上の周波数のうちの当該少なくとも１つに対応するＣＳＧセルをユーザ装置が測定すべきか否かを示す、測定情報を受信する。これは、ブロック１５３０に示されている。これらの実施形態では、第２ＲＡＮ２０４に対応する１つ以上の周波数を測定するよう、ユーザ装置を設定することは、受信した測定情報に従って、ＣＳＧセルを測定するよう、又はＣＳＧセルを測定しないよう、ユーザ装置を設定することを含む。これらの実施形態のいくつかにおける測定インジケータは、１つ以上の周波数の全てについてＣＳＧセルをユーザ装置が測定すべきか否かを示す、単一のインジケータでありうる。これらの実施形態のその他では、１つ以上の周波数のそれぞれについて個別のインジケータが設けられてもよい。
【００７６】
いくつかの実施形態では、ハンドオーバ報告は、測定閾値を超える検出されたセルのうちの少なくとも１つについて、グローバルセル識別子を含む。いくつかの実施形態では、グローバルセル識別子が知られていない、又はユーザ装置によって報告された測定値からグローバルセル識別子が得られない、検出されたセルに対してのみ、物理セル識別子及び周波数識別子が含まれる。
【００７７】
図１５のブロック１５７０及び１５８０は、いくつかの実施形態において、ターゲットＩＲＡＴノードによって取られうる追加のステップを示している。ブロック１５７０に示されるように、ハンドオーバ報告を送信した後に、ネットワークノードは、少なくとも１つの検出されたセルについての設定情報を、別のノードから取得する。ブロック１５８０に示されるように、更に、この設定情報は、少なくとも１つの検出されたセルへのハンドオーバをトリガするためのように、その後のモビリティ手順のために使用されうる。
【００７８】
いくつかの実施形態では、取得された設定情報には、グローバルセル識別子、ＴＡＩ、ＬＴＥ ｅＮＢ ＩＤ、及び１つ以上のサポートされているＰＬＭＮ識別子、のうちの１つ以上が含まれる。いくつかの実施形態では、設定情報の取得は、ユーザ装置によって検出されたセルが、ＣＳＧセルであるかどうかに基づいてトリガされる。
【００７９】
上記で議論したように、設定情報を取得することは、いくつかの実施形態では、ＯＡＭノードと通信し、当該ＯＡＭノードから設定情報を受信することを含みうる。他の実施形態では、設定情報を取得することは、ＲＮＣ等のＲＡＮノードと通信し、当該ＲＡＮノードから設定情報を受信することを含む。
【００８０】
更に他の実施形態では、設定情報を取得することは、少なくとも１つの検出されたセルについての追加のパラメータの測定及び報告をユーザ装置に要求することを含む。これらの実施形態のいくつかでは、ネットワークノードは、少なくとも１つの検出されたセルについてのＳＩＢを読み取り、かつ、当該少なくとも１つの検出されたセルについての、グローバルセル識別子、ＴＡＩ、及びＰＬＭＮ ＩＤのリストのうちの１つ以上を報告するよう、ユーザ装置に要求する。これらの実施形態のいくつかでは、ネットワークノードは、測定及び報告を、その後にユーザ装置に対するトラヒック負荷が減少した際に実行するよう、当該ユーザ装置を設定する。
【００８１】
図１６は、第１ＲＡＴに従って第１ＲＡＮ２０４において動作する、基地局１０等のネットワークノードにおいて同様に実行される、本技術に係る他の方法１６００の例を示している。しかし、この場合、ネットワークノードは、図１５におけるようなターゲットノードではなく、ＩＲＡＴハンドオーバのソースノードである。このため、この場合の「第１」ＲＡＮ及び「第１」ＲＡＴは、図１５に関連して議論した「第１」ＲＡＮ及び「第１」ＲＡＴとは異なりうる。例えば、図１５における第１ＲＡＮは、ＲＡＮ２０２であった。図１６では、第１ＲＡＮは、ＲＡＮ２０４である。
【００８２】
ブロック１６１０に示されるように、方法１６００は、ハンドオーバ必要インジケーションを第２ＲＡＮ２０２に向けて送信することによって、第１ＲＡＮ２０４内のセルから第２ＲＡＮ２０２内のセルへの、ユーザ装置のハンドオーバを開始することを含む。ブロック１６２０に示されるように、第２ＲＡＮ２０２内のセルへのユーザ装置のハンドオーバの完了後に、ネットワークノードは、第２ＲＡＮ２０２からハンドオーバ報告を受信する。当該ハンドオーバ報告は、ユーザ装置によって検出された少なくとも１つのセルについて、当該検出されたセルの物理セル識別子と、当該検出されたセルの周波数識別子とを含む。ブロック１６３０に示されるように、ネットワークノードは、更に、物理セル識別子及び周波数識別子に基づいて、当該少なくとも１つのセルについてのグローバルセル識別子を識別する。ブロック１６４０に示されるように、ネットワークノードは、ハンドオーバ報告の受信に応じて、第２ＲＡＮ２０２内のセルについての、及び／又はユーザ装置によって検出された少なくとも１つのセルについての１つ以上のモビリティ設定を調整する。
【００８３】
いくつかの実施形態では、本方法は、更に、第２ＲＡＮ２０２に向けて、ハンドオーバ必要インジケーションに関連するメッセージで、ユーザ装置によって測定されるべき１つ以上の周波数を識別する情報を送信することを含む。（いくつかの実施形態では、これは、ハンドオーバ要求と同じメッセージであってもよい。）１つ以上の周波数を識別する情報は、ＥＡＲＦＣＮを含みうる。いくつかの実施形態では、ネットワークノードは、更に、ハンドオーバ必要インジケーションに関連するメッセージで、１つ以上の周波数のうちの少なくとも１つについて、１つ以上の周波数のうちの当該少なくとも１つに対応するＣＳＧセルをユーザ装置が測定すべきか否かを示す、測定情報を送信する。いくつかの実施形態では、この測定情報は、１つ以上の周波数の全てについてＣＳＧセルをユーザ装置が測定すべきか否かを示す、単一のインジケータを含みうる。他には、当該測定情報は、１つ以上の周波数のそれぞれについて個別のインジケータを含む。
【００８４】
いくつかの実施形態では、ネットワークノードは、ハンドオーバ必要インジケーションに関連するメッセージで、測定閾値を識別する情報を送信する。いくつかの実施形態では、受信されたハンドオーバ報告は、ユーザ装置によって検出された少なくとも１つのセルについて、グローバルセル識別子を含む。
【００８５】
ここで開示した技術の実施形態は、図１５−Ｂ及び図１６の処理フロー図に図示されている方法１５００及び１６００とそれらの変形を含む、上述のいくつかの方法を含む。他の実施形態は、これらの方法の１つ以上を実行するよう構成されたネットワークノード装置を含む。本発明のいくつかの実施形態では、図９の処理モジュール４０及びメモリ回路４６のような処理回路が、上記で詳しく説明されている技術の１つ以上を実行するよう構成される。同様に、他の実施形態は、１つ以上のそのような処理回路を含むネットワークノードを含みうる。場合によっては、これらの処理回路は、本明細書で説明されている技術の１つ以上を実現するための、１つ以上の適切なメモリデバイスに格納された適切なプログラムコードを用いて設定されうる。当然ながら、これらの技術のステップの全てが、必ずしも、単一のマイクロプロセッサで、又は単一のモジュールでも実行されるとは限らないことが理解されよう。
【００８６】
上述の実施形態の種々の態様が、図１５Ａ−Ｂ及び図１６に図示されている方法のステップに対応する機能「モジュール」によって実行されるものと理解できることが、更に理解されよう。これらの機能モジュールは、例えば、図９に示されるのと同様のハードウェア構成を有するネットワークノードにおける、適切な処理回路で実行されるプログラム命令、ハードコードされたデジタル回路及び／又はアナログ回路、又はそれらの適切な組み合わせでありうる。
【００８７】
例えば、図１７は、第１ＲＡＴに従って動作する第１ＲＡＮの、処理モジュール４０及びメモリ回路４６等に基づいて、基地局１０において実現されうるような、機能モジュール又は回路構成の例を示している。図示される実施形態は、第２ＲＡＴに従って動作する第２ＲＡＮ内のセルから、ユーザ装置についてのハンドオーバ要求を受信する受信モジュール１７０２を、少なくとも機能的に含む。当該実現例は、更に、第１ＲＡＮ内のセルへのユーザ装置のハンドオーバの完了後に、第２ＲＡＮに対応する１つ以上の周波数を測定するよう、ユーザ装置を設定する設定モジュール１７０４を更に含む。当該実現例は、１つ以上の周波数についてユーザ装置によって報告された測定値に基づいて、測定閾値を超える１つ以上の検出されたセルを識別する識別モジュール１７０６を含む。当該実現例は、ハンドオーバ報告を第２ＲＡＮに向けて送信する送信モジュール１７０８を更に含む。ハンドオーバ報告は、測定閾値を超える少なくとも１つの検出されたセルについて、当該検出されたセルの物理セル識別子と、当該検出されたセルの周波数識別子とを含む。当該実現例は、ハンドオーバ報告を送信した後に、少なくとも１つの検出されたセルについての設定情報を、別のノードから取得する取得モジュール１７１０を含む。当該実現例は、取得された設定情報を、その後のモビリティ手順に使用するモビリティモジュール１７１２を更に含む。
【００８８】
本発明の範囲を逸脱することなく上述の実施形態に対して種々の修正を行えることが、当業者によって理解されよう。例えば、本発明の実施形態は３ＧＰＰで規定されたＬＴＥ標準規格に準拠した通信システムを参照した例を用いて説明されているが、提示したソリューションは、他のネットワークに対しても同じように十分に適用可能であることに留意すべきである。したがって、上述した特定の実施形態は、発明の範囲を限定するのではなく、例示であるとみなされるべきである。当然ながら、構成要素又は技術のあらゆる想到可能な組み合わせを説明することは可能ではないため、当業者であれば、本発明の本質的な特徴を逸脱することなく、本明細書で具体的に説明される方法以外の方法で本発明が実現されうることを理解することになる。このため、本実施形態は、あらゆる観点で例示的であるが非限定的とみなされる。
【００８９】
本発明概念の種々の実施形態についての本記載において、ここで使用される用語は、具体的な実施形態の記載のみを目的としたものであり、本発明概念を限定することは意図されていないことが理解されるべきである。特に定義されない限り、本明細書で使用される（技術用語及び科学用語を含む）すべての用語は、本発明概念が属する当業者によって共通に理解される意味と同じ意味を有する。一般的な辞書で定義された用語のような用語は、本明細書及び関連技術の文脈における意味と一致する意味を有するものとして解釈されるべきであり、本明細書で明確に定義された、理想的又は過度に改まった意味で解釈されてはならないと、と更に理解されよう。
【００９０】
要素が他の要素に「接続された（connected）」、「結合された（coupled）」、「応じた（responsive）」又はそれらの変形として言及される場合、それは、他の要素に直接的に接続し、結合し、又は応じていてもよいし、又は中間要素が存在してもよい。一方、要素が他の要素に「直接接続された」、「直接結合された」、「直接に応じた」又はそれらの変形の場合、中間要素は存在しない。同様の番号は、あらゆる箇所で同様の要素を参照する。更に、本明細書で使用されたような「結合された」、「接続された」、「応じた」又はそれらの変形は、無線で結合、接続、又は応じた、を含む、本明細書で使用されるように、単数形「a」、「an」及び「the」は、前後関係が明確にそれ以外を示さない限り、複数形を同様に含むことが意図されている。周知の機能又は構成は、簡潔化及び／又は明確化のために詳細に記載されていない場合がある。「及び／又は」は、１つ以上の列挙された関連する項目のいずれか又はすべての組み合わせを含む。
【００９１】
第１、第２、第３等の用語は、本明細書において種々の要素／動作を説明するために使用されうるが、要素／動作はそれらの用語によって限定されるべきではないと理解されよう。これらの用語は、１つの要素／動作を他の要素／動作と区別するためのみに使用される。このため、いくつかの実施形態における第１要素／動作は、本発明概念の教示から逸脱することなく、他の実施形態では第２要素／動作と称される場合がある。同じ参照番号又は同じ参照符号は、明細書全体を通して同じ又は同様の要素を示す。
【００９２】
本明細書で使用されるように、用語「備える」、「含む」、「有する」又はそれらの変形は、オープンエンドであり、１つ以上の記述された特徴、整数値、要素、ステップ、コンポーネント又は機能を含んでもよいが、１つ以上の他の特徴、整数値、要素、ステップ、コンポーネント、機能又はそれらのグループの存在又は追加を除外していない。更に、本明細書で使用されるように、ラテン語の表現「exempli gratia（例えば）」から得られる一般的な省略形「e.g.（例えば）」は、それまでに言及された項目の一般的な例又は複数の例を導入又は特定するために使用されうるが、そのような項目を限定することは意図されていない。ラテン語の表現「id est（即ち）」から得られる一般的な省略形「i.e.（即ち）」は、より一般的な記載から特定の項目を特定するために使用されうる。
【００９３】
本明細書では、実施形態の例は、コンピュータ実施方法、装置（システム及び／又はデバイス）及び／又はコンピュータプログラム製品のブロック図及び／又はフローチャート図を参照して説明されている。ブロック図及び／又はフローチャート図のブロックと、ブロック図及び／又はフローチャート図における複数ブロックの組み合わせは、１つ以上のコンピュータ回路によって実行されるコンピュータプログラム命令によって実装されうることが理解される。これらのコンピュータプログラム命令は、汎用コンピュータ回路、専用コンピュータ回路、及び／又はマシンをもたらす他のプログラム可能データ処理回路の、プロセッサ回路に与えられてよく、それにより、コンピュータ及び／又は他のプログラム可能データ処理装置のプロセッサによって実行する命令は、そのような回路内のトランジスタ、メモリロケーションに格納された値、及び他のハードウェアコンポーネントを変換及び制御して、ブロック図及び／又はフローチャートのブロック又は複数ブロックにおいて特定された機能及び動作を実現し、その結果として、ブロック図及び／又はフローチャートの（複数の）ブロックにおいて特定された機能及び／動作を実現する手段（機能）及び／又は構成を生じさせる。
【００９４】
これらのコンピュータプログラム命令は、更に、コンピュータ又は他のプログラム可能データ処理装置を特定の方法で機能させることが可能な、有形のコンピュータ読み取り可能媒体に格納されてもよく、それにより、コンピュータ読み取り可能媒体に格納された命令が、ブロック図及び／又はフローチャートのブロック又は複数ブロックにおいて特定された機能／動作を、実行する命令を含む製品を生み出す。したがって、本発明概念の実施形態は、ハードウェアにおいて、及び／又は、まとめて「回路」、「モジュール」又はその変形と称されうる、デジタルシグナルプロセッサのようなプロセッサ上で動作する（ファームウェア、常駐ソフトウェア、マイクロコード等を含む）ソフトウェアにおいて具体化されうる。
【００９５】
また、いくつかの代替の実装例では、ブロックに示される機能及び／動作は、フローチャートに示される順序以外の順序で生じでもよいことに留意すべきである。例えば、関連する機能及び動作に依存して、連続して示されている２つのブロックは、実際には実質的に同時に実行されてもよいし、又は当該ブロックは時には逆順で実行されてもよい。更に、フローチャート及び／又はブロック図のあるブロックの機能が、複数のブロックに分離されてもよいし、フローチャート及び／又はブロック図の２つ以上のブロックの機能が、少なくとも部分的に統合されてもよし、その両方であってもよい。そして、本発明概念の範囲を逸脱することなく、図示されているブロック間に他のブロックが追加／挿入されてもよいし、ブロック／動作が省略されてもよいし、その両方であってもよい。更に、一部の図面は、通信の主要な方向を示すための通信パス上の矢印を含んでいるが、図示された矢印とは逆方向に通信が生じてもよいことが理解されるべきである。
【００９６】
本発明概念の原理から実質的に逸脱することなく、種々の変形及び修正を実施形態に対して行うことが可能である。そのような変形及び修正の全ては、本明細書において本発明概念に含まれることが意図されている。したがって、上記の開示した主題は、例示であり、限定的ではないと考えられるべきであり、実施形態の添付の例は、本発明概念の精神及び範囲に含まれるそのような変形、改善及び他の実施形態の全てをカバーすることが意図されている。このため、法律で許容される最大限で、本発明概念は、本開示についての許容される最も広い解釈によって確定されるべきであり、前述の詳細な説明によって制限又は限定されてはならない。
【図１】
0006374106.tif 000002
【図２】
0006374106.tif 000003
【図３】
0006374106.tif 000004
【図４】
0006374106.tif 000005
【図５】
0006374106.tif 000006
【図６】
0006374106.tif 000007
【図７】
0006374106.tif 000008
【図８】
0006374106.tif 000009
【図９】
0006374106.tif 000010
【図１０】
0006374106.tif 000011
【図１１】
0006374106.tif 000012
【図１２】
0006374106.tif 000013
【図１３】
0006374106.tif 000014
【図１４】
0006374106.tif 000015
【図１５Ａ】
0006374106.tif 000016
【図１５Ｂ】
0006374106.tif 000017
【図１６】
0006374106.tif 000018
【図１７】
0006374106.tif 000019